(57)【要約】【課題】カーテンの開閉操作時において、カーテンレールの軌条間から抜け落ちるのを防止することができるカーテンランナーを提供する。【解決手段】カーテンランナー１を構成するランナー本体２の走行部３を、カーテンレールＡの軌条Ａａ，Ａａ間に下方から押し込んだ後、ランナー本体２を縦軸Ｃ中心に水平回動して走行部３を軌条Ａａ，Ａａ上に係合する。軌条Ａａ，Ａａ間の下方に突出する吊り部４の孔部４ａに吊設した吊り環５に、カーテンＢの上縁部に取り付けたフックＢａを係止する。カーテンＢの開閉操作時において、カーテンＢの引っ張り方向に応じて吊り環５の向きがランナー本体２の縦軸Ｃを中心として任意角度に回動変位するので、軌条Ａａ，Ａａ間に押し込まれた走行部３の向きが走行方向と異なる角度に回動変位することがなく、カーテンレールＡの軌条Ａａ，Ａａ間からカーテンランナー１が抜け落ちるのを防止する。【選択図】図７
2007222544.tif 000002
【特許請求の範囲】
【請求項１】
ランナー本体の上端側走行部をカーテンレールの軌条間に押し込んだ後、ランナー本体を縦軸中心に水平回動して走行部を軌条上に対して走行移動自在に係合し、ランナー本体の下端側吊り部及び該吊り部に吊設した吊り環を軌条間よりも下方に突出するカーテンランナーであって、
上記吊り環を、上記吊り部に設けた孔部に挿通して上記ランナー本体の縦軸を中心として任意角度に水平回動自在に設けた
カーテンランナー。
【請求項２】
上記孔部を、上記吊り環の水平回動が許容される大きさ及び形状に形成した
請求項１に記載のカーテンランナー。
【請求項３】
上記吊り部に、上記吊り環を所定の水平回動範囲に規制する吊り環回動規制手段を設けた
請求項１又は２に記載のカーテンランナー。
【請求項４】
上記走行部と吊り部を、上記ランナー本体の縦軸を中心として任意角度に水平回動自在に連結した
請求項１，２，３のいずれか一つに記載のカーテンランナー。
【請求項５】
上記走行部と吊り部の間に、該吊り部を所定の水平回動範囲に規制する吊り部回動規制手段を設けた
請求項４に記載のカーテンランナー。
【発明の詳細な説明】
【技術分野】
【０００１】
この発明は、例えばカーテンレールの軌条間に対して途中から押し込んだり、抜き取ることができるカーテンランナーに関する。
【背景技術】
【０００２】
従来、上述のカーテンランナーとしては、例えばカーテンランナーの頭部をカーテンレール下面に形成した条溝に下方から押し込んだ後、カーテンランナー全体を縦軸回りに略９０度水平回動して、カーテンランナーの頭部両側に設けたランナー部を、条溝両側のレール上に跨架する特許文献１のカーテンランナーがある。
【０００３】
【特許文献１】実開昭５５−１６７４１号公報
【発明の開示】
【発明が解決しようとする課題】
【０００４】
しかし、上述のカーテンランナーを介して、カーテンレールに吊設されたカーテンを手動で開閉操作する場合、カーテンの端部を手で把持して手前側に引き寄せながら斜め方向に開閉操作するが、カーテンの引っ張り方向をカーテンランナーの走行方向と一致させることが難しい。カーテンの引っ張り方向は開閉途中において多少変動するので、カーテンに付与される引っ張り力によりカーテンランナー全体の向きが走行方向と異なる角度に回動変位しやすく、カーテンランナー全体が縦軸回りに略４５度以上動すると、カーテンレールの条溝間からカーテンランナーが抜け落ちることがある。また、カーテンの引っ張り方向をカーテンランナーの走行方向と一致させて開閉操作しなければならず、手動による開閉操作がスムースに行えない。
【０００５】
この発明は上記問題に鑑み、カーテンの開閉操作時において、カーテンレール軌条間から抜け落ちるのを防止することができるカーテンランナーの提供を目的とする。
【課題を解決するための手段】
【０００６】
請求項１に記載した発明のカーテンランナーは、ランナー本体の上端側走行部をカーテンレールの軌条間に押し込んだ後、ランナー本体を縦軸中心に水平回動して走行部を軌条上に対して走行移動自在に係合し、ランナー本体の下端側吊り部及び該吊り部に吊設した吊り環を軌条間よりも下方に突出するカーテンランナーであって、上記吊り環を、上記吊り部に設けた孔部に挿通して上記ランナー本体の縦軸を中心として任意角度に水平回動自在に設けたことを特徴とする。
【０００７】
この発明によると、カーテンの上縁部に取り付けたフックを、カーテンレールの軌条間よりも下方に突出される吊り部の吊り環に係止して、カーテンの端部を手で把持して任意方向へ開閉操作すると、吊り環が、カーテンの引っ張り方向に応じて、ランナー本体の縦軸を中心として任意角度に水平回動し、カーテンレールの軌条間に押し込まれた走行部の向きが走行方向と異なる角度に回動変位するのを防止する。
【０００８】
請求項２に記載した発明のカーテンランナーは、上記請求項１に記載の構成と併せて、上記孔部を、上記吊り環の水平回動が許容される大きさ及び形状に形成したことを特徴とする。
【０００９】
この発明によると、カーテンの引っ張り方向に応じて、吊り部の孔部に吊設した吊り環の水平回動が許容される。
【００１０】
請求項３に記載した発明のカーテンランナーは、上記請求項１又は２に記載の構成と併せて、上記吊り部に、上記吊り環を所定の水平回動範囲に規制する吊り環回動規制手段を設けたことを特徴とする。
【００１１】
この発明によると、吊り環を任意方向へ回動操作すると、吊り環回動規制手段により所定の水平回動範囲（例えば略９０度の水平回動角度）に回動規制されるため、吊り環の回動操作力が走行部に対して伝達され、走行部を、カーテンレールの軌条間に対して押し込みが許容される角度と、軌条間からの抜き取りが許容される角度に回動変位することができる。
【００１２】
請求項４に記載した発明のカーテンランナーは、上記請求項１，２，３のいずれか一つに記載の構成と併せて、上記走行部と吊り部を、上記ランナー本体の縦軸を中心として任意角度に水平回動自在に連結したことを特徴とする。
【００１３】
この発明によると、カーテンの開閉操作時において、カーテンの引っ張り方向に応じて吊り部全体が任意角度（例えば略３６０度の範囲に含まれる任意の角度）に水平回動する。
【００１４】
請求項５に記載した発明のカーテンランナーは、上記請求項４に記載の構成と併せて、上記走行部と吊り部の間に、該吊り部を所定の水平回動範囲に規制する吊り部回動規制手段を設けたことを特徴とする。
【００１５】
この発明によると、吊り部を任意方向へ回動操作すると、吊り部回動規制手段により所定の水平回動範囲（例えば略９０度の水平回動角度）に回動規制されるため、吊り部の回動操作力が走行部に対して伝達され、走行部を、カーテンレールの軌条間に対して押し込みが許容される角度と、軌条間からの抜き取りが許容される角度に回動変位することができる。
【００１６】
上記吊り部回動規制手段は、例えば軸部上端に形成した係止部と、その係止部が当接される軸受孔近傍に形成した壁部等で構成することができる。
【発明の効果】
【００１７】
この発明によれば、カーテンを手動で開閉操作する際に、吊り部の孔部に吊設した吊り環が、カーテンの引っ張り方向に応じて、ランナー本体の縦軸を中心として任意角度に水平回動するので、カーテンレールの軌条間に押し込まれた走行部の向きが走行方向と異なる角度に回動変位することがなく、カーテンレールの軌条間からカーテンランナーが抜け落ちるのを防止することができる。
【００１８】
また、カーテンの開閉操作時において、カーテンの引っ張り方向が多少変動しても、吊り環の水平回動が許容される範囲の角度であれば任意方向に開閉操作することができ、カーテンの引っ張り方向がカーテンランナーの走行方向と一致する方向のみに制限されず、手動による開閉操作がスムースに行える。また、カーテンランナーをカーテンレールの軌条間に対して途中から押し込んだり、抜き取ったりすることができるので、例えば破損や走行性の低下したランナーを交換したり、個数を変更する等の作業が容易に行える。
【発明を実施するための最良の形態】
【００１９】
この発明は、カーテンの開閉操作時において、カーテンレールからカーテンランナーが抜け落ちるのを防止することができるという目的を、吊り環を、吊り部に設けた孔部に対して上記ランナー本体の縦軸を中心として任意角度に水平回動自在に吊設することで達成した。
【実施例】
【００２０】
この発明の一実施例を以下図面に基づいて詳述する。
【００２１】
図面は、カーテンレールに対してカーテンを吊設するときに用いられる第１実施例のカーテンランナーを示し、図６、図７に於いて、このカーテンランナー１は、ランナー本体２の上端側に設けた転動型の走行部３を、カーテンレールＡの下面側全長に形成した軌条Ａａ，Ａａ間に下方から押し込んだ後、ランナー本体２を縦軸Ｃ中心に水平回動して走行部３を軌条Ａａ，Ａａ上に対して走行移動自在に係合し、ランナー本体２の下端側に設けた吊り部４及び該吊り部４に吊設した金属製の吊り環５を軌条Ａａ，Ａａ間よりも下方に突出するものである。また、吊り部４に吊設した吊り環５には、カーテンＢの上縁部に取り付けたフックＢａが係止される。
【００２２】
上記カーテンランナー１は、図１、図２、図３、図４にも示すように、ランナー本体２の上端部前後幅と、上端部から中央部に至る左右横幅とを、図６参照のカーテンレールＡの軌条Ａａ，Ａａ間と略同じ幅か狭くなる幅に形成し、ランナー本体２の前後外面を、側面から見て上端部から下端部に向けて徐々に幅広となる滑らかな曲面形状に形成している。また、ランナー本体２及び後述する輪体７は、例えばポリアセタール、ポリカーボネート等の合成樹脂で形成している。
【００２３】
ランナー本体２の前後壁部２Ａ，２Ａの可撓変形を許容する縦長形状の開口部２ａを、ランナー本体２の前後側面を幅方向に貫通してそれぞれ形成し、開口部２ａ，２ａ上端を溝部２ｂにより連通して、壁部２Ａ，２Ａを、ランナー本体２の前後幅がカーテンレールＡの軌条Ａａ，Ａａ間と略同じ幅か狭くなる幅に変形される状態と、軌条Ａａ，Ａａ間よりも幅広となる変形前の状態とに可撓変形自在に設けている。また、開口部２ａ，２ａの上端を、後述する軸受孔２ｃを介して連通してもよい。
【００２４】
前記走行部３は、金属製の支軸６を、ランナー本体２の上端側幅方向に貫通した軸受孔２ｃに対して自由回転自在に挿通し、軸受孔２ｃ両側に突出した支軸６の両端を、同径に形成した輪体７，７の各孔部７ａ，７ａにそれぞれ挿通している。
【００２５】
支軸６一端に形成した頭部６ａを、一方の輪体７の孔部７ａ周縁に係止し、支軸６他端に形成したカシメ部６ｂを、他方の輪体７の孔部７ａ周縁に係止される大きさにカシメ加工して、左右一対の輪体７，７を、支軸６の両端部に対して自由回転自在に取り付けている。
【００２６】
輪体７，７は、カーテンレールＡの軌条Ａａ，Ａａ間に対して押し込みが許容される直径に形成され、軌条Ａａ，Ａａ間と同じか同一又は同等に形成している。
【００２７】
前記吊り部４は、側面から見て略Ｕ字状の吊り環５が吊設される孔部４ａを、吊り部４の下端側中央部に対して前後方向に貫通して形成し、吊り環５の両端部を孔部４ａに挿通した位置で互いに近接又は当接して抜止めするとともに、吊り環５の両端部を孔部４ａ下端に形成した底面から見て略丸形の支持部４ｂに係止することにより、吊り環５を、ランナー本体２の縦軸Ｃを中心として水平回動自在に設け、孔部４ａを中心として左右揺動自在に設けている。
【００２８】
孔部４ａは、吊り環５の水平回動と左右揺動とが許容されるような大きさ及び形状に形成している。実施例では走行方向から見て横長形状に形成しているが、例えば縦長形状、楕円形状、丸形状等の任意形状に形成してもよい。
【００２９】
なお、吊り環５を、例えば合成樹脂、木等の材質で構成するか、或いは、例えば略丸形状、略楕円形状等の任意形状を有する環状部材に取り替えてもよい。
【００３０】
吊り環５の回動を規制する左右一対の壁部４ｃ，４ｃを、ランナー本体２の横幅よりも広くなる間隔に隔てて吊り部４の両側縁部に垂設するとともに、孔部４ａ近傍の壁部４ｃ，４ｃの前後内壁面を、孔部４ａを中心として、ランナー本体２の前後方向に向けて徐々に広くなる斜面形状又は曲面形状に形成している。
【００３１】
吊り部４の孔部４ａに吊設した吊り環５を、ランナー本体２の縦軸Ｃを中心として左右方向へ水平回動すると、吊り環５の前後角部が壁部４ｃ，４ｃの少なくとも一方の内壁面に当接し、略９０度の水平回動角度に回動規制される。また、吊り環５を、孔部４ａを中心として左右方向へ揺動すると、吊り環５の側面が壁部４ｃの下縁部に当接し、略１２０度の左右揺動角度に揺動規制される。
【００３２】
カーテンレールＡの軌条Ａａ，Ａａ下面に対して当接される各段部２Ｃ，２Ｃを、ランナー本体２の下端両側に対して左右均等にそれぞれ突出するとともに、軌条Ａａ下面と対向する段部２Ｃ上面を、該段部２Ｃの下面側中央部を中心として前後方向に向けて徐々に低くなる斜面形状に形成するか、滑らかな曲面形状に形成している。
【００３３】
なお、吊り環５の水平回動規制角度を、例えば略９０度以下又は略９０度以上の水平回動角度に変更してもよく、また、左右揺動規制角度を、例えば略１２０度以下又は略１２０度以上の左右揺動角度に変更してもよい。
【００３４】
また、吊り部４の孔部４ａは、ランナー本体２の下端側中央部に対して左右方向に貫通して設けてもよい。また、カーテンＢの引っ張り方向に応じた角度に吊り環５の回動変位が許容される間隔であれば、壁部４ｃ，４ｃの間隔をランナー本体２の横幅よりも狭くなる間隔に変更してもよい。
【００３５】
図示実施例は上記の如く構成するものにして、以下、カーテンレールＡに対するカーテンランナー１の取り付け方法を説明する。
【００３６】
先ず、カーテンランナー１をカーテンレールＡの軌条Ａａ，Ａａ間に挿入する場合、図５の上段及び図６に示すように、カーテンランナー１全体を、カーテンレールＡの軌条Ａａ，Ａａと直交する横向き姿勢に保持して、走行部３の輪体７，７を軌条Ａａ，Ａａ間と対向させた後、走行部３の輪体７，７を軌条Ａａ，Ａａ間に対して下方から押し込む。
【００３７】
ランナー本体２の壁部２Ａ，２Ａ外面をカーテンレールＡの軌条Ａａ，Ａａに当接するとともに、その当接部分に生じる反力により、壁部２Ａ，２Ａを、壁部２Ａ自体の復元力に抗して内側へ可撓変形させながらカーテンレールＡの軌条Ａａ，Ａａ間に押し込み、ランナー本体２の前後幅をカーテンレールＡの軌条Ａａ，Ａａ間と略同じ幅か狭くなる幅に変形させる。
【００３８】
走行部３の輪体７，７を、カーテンレールＡの軌条Ａａ，Ａａよりも上方へ押し込み、軌条Ａａ，Ａａ上面に係合される高さに挿入した後、ランナー本体２の壁部２Ａ，２Ａを内側へ可撓変形させたまま、吊り部４に吊設した吊り環５を指で摘んで任意方向へ回動操作する。
【００３９】
カーテンランナー１を、図４及び図５の中段に示すように、吊り環５の前後角部を吊り部４の壁部４ｃ，４ｃに当接して略９０度の水平回動角度に回動規制するとともに、その当接力により、走行部３を、ランナー本体２の縦軸Ｃを中心として右方向又は左方向へ略９０度水平回動させ、走行部３の輪体７，７がカーテンレールＡの軌条Ａａ，Ａａ上面に係合される走行姿勢に回転する。
【００４０】
図５の下段及び図７に示すように、走行部３の輪体７，７をカーテンレールＡの軌条Ａａ，Ａａ上面に係合すると、壁部２Ａ，２Ａが軌条Ａａ，Ａａ間に嵌り込み、軌条Ａａ，Ａａに対する当接が解除されるため、軌条Ａａ，Ａａ間よりも幅広となる前後幅に復元する。
【００４１】
変形前の状態に復元した壁部２Ａ，２Ａの両側縁部をカーテンレールＡの軌条Ａａ，Ａａに当接して、カーテンランナー１を走行方向に向けた姿勢に回動規制することにより、カーテンランナー１の取り付け作業が完了する。
【００４２】
以下同様に、複数個の各カーテンランナー１…をカーテンレールＡの軌条Ａａ，Ａａ間に押し込んだ後、図７に示すように、各カーテンランナー１…の各吊り環５…に、カーテンＢの上縁部に取り付けた各フックＢａ…をそれぞれ係止して、カーテンＢを開閉自在に吊設する。
【００４３】
カーテンＢの開閉操作時において、カーテンＢに付与される引張り力により走行部３の輪体７，７がカーテンレールＡの軌条Ａａ，Ａａに沿って転動するとともに、カーテンＢの引っ張り方向に応じて吊り環５の向きが任意角度（例えば略９０度の範囲に含まれる任意の角度）に回動変位するので、軌条Ａａ，Ａａ間に押し込まれた走行部３の向きが走行方向と異なる角度に回動変位することがなく、カーテンレールＡの軌条Ａａ，Ａａ間からカーテンランナー１が抜け落ちるのを防止することができる。また、カーテンＢの引っ張り方向が制限されないため、開閉操作がスムースに行える。
【００４４】
一方、カーテンランナー１をカーテンレールＡの軌条Ａａ，Ａａ間から抜き取る場合、吊り環５を指で摘んで任意方向へ回動するとともに、吊り環５の前後角部を吊り部４の壁部４ｃ，４ｃに当接して、その当接力により、カーテンランナー１全体を、ランナー本体２の縦軸Ｃを中心として右方向又は左方向へ略９０度水平回動する。
【００４５】
ランナー本体２の壁部２Ａ，２Ａ外面をカーテンレールＡの軌条Ａａ，Ａａに当接するとともに、その当接部分に生じる反力により、壁部２Ａ，２Ａを、壁部２Ａ自体の復元力に抗して内側へ可撓変形させ、ランナー本体２の前後幅を軌条Ａａ，Ａａ間と略同じ幅か狭くなる幅に変形させる。
【００４６】
カーテンランナー１全体又は走行部３を、カーテンレールＡの軌条Ａａ，Ａａと直交する横向き姿勢に回動して、走行部３の輪体７，７を軌条Ａａ，Ａａ間と対向させた後、走行部３や吊り環５を指で摘んだまま下方に引っ張り、走行部３の輪体７，７を軌条Ａａ，Ａａ間から強引に抜き取ると、壁部２Ａ，２Ａが変形前の状態に復元し、カーテンランナー１の抜き取り作業が完了する。
【００４７】
カーテンランナー１をカーテンレールＡの端部から挿入するか抜き取らなくても、カーテンレールＡの途中から押し込んだり、抜き取ったりする作業が簡単且つ容易に行える。
【００４８】
以上のように、カーテンＢを手動で開閉操作する際に、カーテンランナー１の吊り部４の孔部４ａに吊設した吊り環５のみの向き及び角度が、カーテンＢの引っ張り方向に応じて、ランナー本体２の縦軸Ｃを中心として任意角度に水平回動するので、カーテンレールＡの軌条Ａａ，Ａａ間に押し込まれた走行部３の向きが走行方向と異なる角度に回動変位することがなく、カーテンレールＡの軌条間からカーテンランナー１が抜け落ちるのを防止することができる。
【００４９】
また、カーテンＢの開閉操作時において、カーテンＢの引っ張り方向が多少変動しても、吊り環５の水平回動が許容される範囲の角度であれば任意方向に開閉操作することができ、カーテンＢの引っ張り方向がカーテンランナー１の走行方向と一致する方向のみに制限されず、手動による開閉操作がスムースに行える。
【００５０】
また、カーテンランナー１をカーテンレールＡの軌条Ａａ，Ａａ間に対して途中から押し込んだり、抜き取ったりすることができるので、例えば破損や走行性の低下したランナーを交換したり、個数を変更する等の作業が容易に行える。
【００５１】
図８は、ランナー本体２の走行部３と吊り部４を水平回動自在に連結したカーテンランナー１の第２実施例を示し、吊り部４の上端側中央部に突設した二つ割形状の軸部８を、走行部３の下端側中央部に形成した軸受孔９に対して下方から挿入し、軸部８上端に形成した係止部８ａ，８ａを、軸受孔９の上端側周縁部に係止して、ランナー本体２の縦軸Ｃを中心として、走行部３と吊り部４を略３６０度に水平回動自在に連結している。
【００５２】
つまり、カーテンＢの開閉操作時において、カーテンＢの引っ張り方向に応じて吊り部４全体の向きが任意角度（例えば略３６０度の範囲に含まれる任意の角度）に回動変位するので、カーテンレールＡの軌条Ａａ，Ａａ間に押し込まれた走行部３の向きが走行方向と異なる角度に回動変位することがなく、カーテンレールＡの軌条Ａａ，Ａａ間からカーテンランナー１が抜け落ちるのを防止することができ、カーテンＢの引っ張り方向が制限されないため、開閉操作がスムースに行える。
【００５３】
図９は、第２実施例の走行部３と吊り部４を回動規制する第３実施例のカーテンランナー１を示し、軸部８上端に形成した係止部８ａ，８ａを、走行部３と吊り部４を所定の回動角度に水平回動した際に、軸受孔９近傍に形成した両側部の壁部２Ｂ，２Ｂに対して当接される大きさに形成している。
【００５４】
つまり、吊り部４や吊り環５を指で摘んで、吊り部４を任意方向に回動操作すると、軸部８上端の係止部８ａ，８ａが、軸受孔９近傍の壁部２Ｂ，２Ｂに当接し略９０度の水平回動角度に回動規制され、吊り部４及び吊り環５を介して、指による回動操作力が走行部３に対して伝達されるので、走行部３を、カーテンレールＡの軌条Ａａ，Ａａ間に押し込んだり、軌条Ａａ，Ａａ間から抜き取る操作が容易に行え、上記実施例と略同等の作用及び効果を奏することができる。また、吊り環５のような環状を有する環部を吊り部４に一体形成してもよい。
【００５５】
図１０は、滑走型の走行部３をランナー本体２の上端側に設けた第４実施例のカーテンランナー１を示し、滑走型の走行部３は、カーテンレールＡの軌条Ａａ，Ａａ上面に対して滑走移動自在に係合される左右一対の各滑走部１０，１０を、ランナー本体２の上端両側に対して左右均等にそれぞれ突出している。
【００５６】
滑走部１０は、カーテンレールＡの軌条Ａａ，Ａａ間に対して押し込みが許容される前後幅に形成され、軌条Ａａ，Ａａ間と略同じ幅か狭くなる幅に形成している。軌条Ａａ上面と対向する滑走部１０下面は、該滑走部１０の下面側中央部を中心として前後方向に向けて徐々に高くなる斜面形状に形成するか、滑らかな曲面形状に形成している。
【００５７】
カーテンＢの開閉操作時において、カーテンＢに付与される引張り力により走行部３の各滑走部１０，１０がカーテンレールＡの軌条Ａａ，Ａａに沿って滑走移動するとともに、カーテンＢの引っ張り方向に応じて吊り環５の向きが任意角度に回動変位するので、軌条Ａａ，Ａａ間に押し込まれた走行部３の向きが走行方向と異なる角度に回動変位することがなく、前記実施例と略同等の作用及び効果を奏することができる。
【００５８】
なお、上記実施例のカーテンランナー１の取り付け方法は、前記実施例の取り付け方法と同一であるのでその詳細な説明を省略する。
【００５９】
この発明の構成と、上述の実施例との対応において、  
この発明の吊り環回動規制手段は、実施例の吊り部４の壁部４ｃに対応し、  
以下同様に、  
吊り部回動規制手段は、軸部８上端の係止部８ａと、軸受孔２ｃ近傍の壁部２Ｂに対応するも、  
この発明は、上述の実施例の構成のみに限定されるものではなく、請求項に示される技術思想に基づいて応用することができ、多くの実施の形態を得ることができる。
【００６０】
上記吊り環回動規制手段や吊り部回動規制手段は、例えば突起やピン等の凸部、溝部や開口部等の凹部に対して当接又は係合するような規制構造で構成することもできる。
【図面の簡単な説明】
【００６１】
【図１】カーテンランナーの外観形状を示す斜視図。
【図２】輪体及び吊り環の取付け構造を示す縦断正面図。
【図３】輪体及び吊り環の取付け構造を示す縦断側面図。
【図４】吊り環の回動許容範囲を示す底面図。
【図５】カーテンランナーの取付け手順を示す説明図。
【図６】カーテンランナーの取付け途中を示す断面図。
【図７】カーテンランナーの取付け状態を示す断面図。
【図８】走行部と吊り部を回動自在に連結した第２実施例を示す縦断側面図。
【図９】走行部と吊り部を回動規制した第３実施例を示す横断平面図。
【図１０】滑走型の走行部を設けた第４実施例を示す側面図。
【符号の説明】
【００６２】
Ａ…カーテンレール
Ａａ…軌条
Ｂ…カーテン
Ｂａ…フック
Ｃ…縦軸
１…カーテンランナー
２…ランナー本体
２Ａ，２Ｂ…壁部
３…走行部
４…吊り部
４ａ…孔部
４ｃ…壁部
５…吊り環
６…支軸
７…輪体
８…軸部
８ａ…係止部
９…軸受孔
１０…滑走部
【図１】
2007222544.tif 000003
【図２】
2007222544.tif 000004
【図３】
2007222544.tif 000005
【図４】
2007222544.tif 000006
【図５】
2007222544.tif 000007
【図６】
2007222544.tif 000008
【図７】
2007222544.tif 000009
【図８】
2007222544.tif 000010
【図９】
2007222544.tif 000011
【図１０】
2007222544.tif 000012